(57)【要約】【課題】煩雑な作業を行わなくても、カムスライドのカムスライド支持基台に対する取り外し及び取り付けを簡単に行い得、而して、カムスライド及び復帰機構等の保守、点検、交換作業を迅速に行い得るカム装置を提供すること。【解決手段】吊りカムタイプのカム装置１は、滑り面９を有したカムドライバ２と、滑り面２８でカムドライバ２の滑り面９に接触して移動されるカムスライド３と、カムスライド３をＡ方向に移動自在に支持するカムスライド支持手段４と、カムスライド３を当該カムスライド３のＡ方向における後方の初期位置に復帰させる復帰機構５とを備えている。【選択図】図１
2008290118.tif 000002
【特許請求の範囲】
【請求項１】
カムドライバと、このカムドライバに接触して移動されるカムスライドと、このカムスライドを移動自在に支持するカムスライド支持手段と、カムスライドを当該カムスライドの移動方向における後方の初期位置に復帰させる復帰機構とを備えており、カムスライドは、カムスライドの移動方向に対して直交する方向における両側面において当該直交する方向に張り出した滑り被支持面を有した直方体状のカムスライド基部と、このカムスライド基部から伸びた工具取付部とを有しており、カムスライド支持手段は、カムスライドの移動方向における前方に配された前壁部、前壁部に対向してカムスライドの移動方向における後方に配された後壁部、カムスライドの移動方向に伸びていると共に前方では前壁部に後方では後壁部に夫々連接された一対の側壁部並びにこれら前壁部、後壁部及び一対の側壁部に夫々連接された底壁部を有していると共にこれら前壁部、後壁部、一対の側壁部及び底壁部によりカムスライド基部をカムスライドの移動方向において移動自在に収容する収容凹所を形成するカムスライド支持基台と、このカムスライド支持基台の一対の側壁部の夫々にカムスライドの移動方向において一列に並んで取付けられていると共にカムスライド基部の対応の被支持面に対面する支持面を有した一対のカムスライド支持板とを有しており、各対のカムスライド支持板においてカムスライドの移動方向における前方のカムスライド支持板は、収容凹所のカムスライドの移動方向における長さから収容凹所に収容されたカムスライド基部の移動方向の長さを差し引いた長さよりも短い移動方向の長さを有しており、各対のカムスライド支持板においてカムスライドの移動方向における後方のカムスライド支持板は、側壁部にボルトにより取外し自在に取付けられているカム装置。
【請求項２】
カムスライド基部は、工具取付部が一体的に形成された基部本体と、この基部本体の両側面に取付けられていると共に対応の側壁部の内壁面にカムスライドの移動方向に対して摺動自在に接触した滑り面を有する滑り側板と、基部本体の底面に取付けられていると共に底壁部の内壁面にカムスライドの移動方向に対して摺動自在に接触した滑り面を有する滑り底板とを具備しており、滑り底板の滑り面に平行に伸びた滑り側板の一方の表面が滑り被支持面になっている請求項１に記載のカム装置。
【請求項３】
復帰機構は、カムスライドの移動方向に伸びていると共にカムスライド基部に形成された貫通孔を通ったロッドと、このロッドをカムスライドの移動方向に関して摺動自在となるように支持すると共にカムスライド基部に取付けられたロッド支持部材と、カムスライドをカムスライド支持基台の後壁部に向かって弾性的に付勢するように、前壁部及びロッド支持部材の間であってロッドを取り巻いて配されているコイルばねとを具備している請求項１又は２に記載のカム装置。
【請求項４】
後壁部は、隙間をもって互いに対峙された一対の半後壁部を具備しており、ロッドは、カムスライド支持基台の前壁部に当接する一方の膨大端部と、カムスライド支持基台の後壁部の一対の半後壁部の隙間に位置する他方の膨大端部とを具備しており、カムスライド支持手段は、一方の膨大端部に対面していると共に前壁部にボルトにより取外し自在に取付けられた前部落下防止板と、他方の膨大端部に対面していると共に一対の半後壁部を橋絡して後壁部にボルトにより取外し自在に取付けられた後部落下防止板とを具備しており、カムスライドは、カムスライド支持手段に吊下されるようになっている吊りカムタイプである請求項１から３のいずれか一項に記載のカム装置。
【発明の詳細な説明】
【技術分野】
【０００１】
本発明は、カムドライバによりカムスライドを摺動させて、カムスライドに装着された工具により薄板等の被加工物に孔あけ、折り曲げ等のプレス加工を施すカム装置に関する。
【背景技術】
【０００２】
【特許文献１】特開２００３−２６０５２６号公報
【０００３】
例えば吊りカムタイプのカム装置は、通常、カムドライバ支持基台に固定的に支持されるようになっているカムドライバと、カムドライバの滑り面に移動自在に接触するように、当該滑り面と相補的な形状の滑り面を有したカムスライドと、カムスライドの滑り面とカムドライバの滑り面との接触により、カムドライバの滑り面に案内されてカムスライドが移動し得るように、当該カムスライドを移動自在に吊り下げ支持するカムスライド支持手段と、カムスライドを初期位置に復帰させる復帰力を発生するコイルばねを有した復帰機構とを備えており、カムスライド支持手段は、カムスライド支持基台と、カムスライド支持基台にボルトにより取付けられていると共にカムスライドの両側に配されてカムスライドを吊り下げるカムスライド支持板とを具備している。
【発明の開示】
【発明が解決しようとする課題】
【０００４】
斯かるカム装置におけるカムスライド及び復帰機構等の調整、保守点検に際しては、多くの場合には、カムスライドをカムスライド支持基台に対して後方に摺動させてカムスライド支持基台の後方からカムスライドのカムスライド基部をカムスライド支持基台とカムスライド支持板との間から抜き出してカムスライドをカムスライド支持基台から分離し、カムスライド及び復帰機構等の調整、保守点検後、再び、カムスライドのカムスライド基部をカムスライド支持基台の後方からカムスライド支持基台とカムスライド支持板との間に挿入してカムスライドをカムスライド支持基台に対して前方に摺動させてカムスライドをカムスライド支持基台に設置しているが、斯かる作業は、カムスライド支持基台に対するカムスライドの後方、前方の移動を伴う結果、煩雑となって多くの時間を必要とする。
【０００５】
一方、ボルトを緩めてカムスライド支持板をカムスライド支持基台から取外してカムスライドをカムスライド支持基台から直接的に抜き出して取外すことができれば、調整、保守点検に加えて組立等の作業時間を短縮できるのであるが、カムスライド自体、特に、種々の孔あけ又は折り曲げ等のプレス加工を施すために、カム装置の複数個が互いに隣接して設置されている場合には、カムスライド自体に加えて隣接のカムスライド等が邪魔となってボルトを緩めることが困難な場合がある。
【０００６】
本発明は、前記諸点に鑑みてなされたものであって、その目的とするところは、煩雑な作業を行わなくても、カムスライドのカムスライド支持基台に対する取り外し及び取り付けを簡単に行い得、而して、カムスライド及び復帰機構等の保守、点検、交換作業を迅速に行い得るカム装置を提供することにある。
【課題を解決するための手段】
【０００７】
本発明によるカム装置は、カムドライバと、このカムドライバに接触して移動されるカムスライドと、このカムスライドを移動自在に支持するカムスライド支持手段と、カムスライドを当該カムスライドの移動方向における後方の初期位置に復帰させる復帰機構とを備えており、カムスライドは、カムスライドの移動方向に対して直交する方向における両側面において当該直交する方向に張り出した滑り被支持面を有した直方体状のカムスライド基部と、このカムスライド基部から伸びた工具取付部とを有しており、カムスライド支持手段は、カムスライドの移動方向における前方に配された前壁部、前壁部に対向してカムスライドの移動方向における後方に配された後壁部、カムスライドの移動方向に伸びていると共に前方では前壁部に後方では後壁部に夫々連接された一対の側壁部並びにこれら前壁部、後壁部及び一対の側壁部に夫々連接された底壁部を有していると共にこれら前壁部、後壁部、一対の側壁部及び底壁部によりカムスライド基部をカムスライドの移動方向において移動自在に収容する収容凹所を形成するカムスライド支持基台と、このカムスライド支持基台の一対の側壁部の夫々にカムスライドの移動方向において一列に並んで取付けられていると共にカムスライド基部の対応の被支持面に対面する支持面を有した一対のカムスライド支持板とを有しており、各対のカムスライド支持板においてカムスライドの移動方向における前方のカムスライド支持板は、収容凹所のカムスライドの移動方向における長さから収容凹所に収容されたカムスライド基部の移動方向の長さを差し引いた長さよりも短い移動方向の長さを有しており、各対のカムスライド支持板においてカムスライドの移動方向における後方のカムスライド支持板は、側壁部にボルトにより取外し自在に取付けられている。
【０００８】
斯かるカム装置によれば、各対のカムスライド支持板においてカムスライドの移動方向における前方のカムスライド支持板は、収容凹所のカムスライドの移動方向における長さから収容凹所に収容されたカムスライド基部のカムスライドの移動方向の長さを差し引いた長さよりも短い移動方向の長さを有している一方、各対のカムスライド支持板においてカムスライドの移動方向における後方のカムスライド支持板は、側壁部にボルトにより取外し自在に取付けられているために、後方のカムスライド支持板の側壁部からの取外しにより収容凹所の開口を介してカムスライド基部をカムスライドの移動方向に対して直交する方向において当該収容凹所に対して挿抜できる結果、煩雑な作業を行わなくても、カムスライドのカムスライド支持基台に対する取り外し及び取り付けを簡単に行い得、而して、カムスライド及び復帰機構等の保守、点検、交換作業を迅速に行い得る。
【０００９】
好ましい例では、カムスライド基部は、工具取付部が一体的に形成された基部本体と、この基部本体の両側面に取付けられていると共に対応の側壁部の内壁面にカムスライドの移動方向に対して摺動自在に接触した滑り面を有する滑り側板と、基部本体の底面に取付けられていると共に底壁部の内壁面にカムスライドの移動方向に対して摺動自在に接触した滑り面を有する滑り底板とを具備しており、滑り底板の滑り面に平行に伸びた滑り側板の一方の表面が滑り被支持面になっているが、本発明は、これに限定されず、例えば、カムスライド基部は、工具取付部が一体的に形成された基部本体と、この基部本体に一体的に形成されていると共にカムスライドの移動方向に対して直交する方向に突出した突出部とを具備しており、各側壁部は、側壁部本体と、この側壁部本体の内壁面に取付けられていると共に対応の突出部の突出頂面にカムスライドの移動方向に対して摺動自在に接触した滑り面を有する滑り側板とを具備しており、底壁部は、底壁部本体と、底壁部本体の内壁面に取付けられていると共に基部本体及び突出部の底面にカムスライドの移動方向に対して摺動自在に接触した滑り面を有する滑り底板とを具備しており、滑り底板の滑り面に平行に伸びた突出部の表面が滑り被支持面になっていてもよく、要は、滑り側板は、カムスライド基部若しくは側壁部のいずれか又は両方に配されていればよく、滑り底板もまた、カムスライド基部若しくは底壁部のいずれか又は両方に配されていればよい。
【００１０】
復帰機構の好ましい例は、カムスライドの移動方向に伸びていると共にカムスライド基部に形成された貫通孔を通ったロッドと、このロッドをカムスライドの移動方向に関して摺動自在となるように支持すると共にカムスライド基部に取付けられたロッド支持部材と、カムスライドをカムスライド支持基台の後壁部に向かって弾性的に付勢するように、前壁部及びロッド支持部材の間であってロッドを取り巻いて配されているコイルばねとを具備している。
【００１１】
カム装置は、好ましい例では、カムスライドがカムスライド支持手段に吊下されるようになっている吊りカムタイプであり、この場合、後壁部は、隙間をもって互いに対峙された一対の半後壁部を具備しており、ロッドは、カムスライド支持基台の前壁部に当接する一方の膨大端部と、カムスライド支持基台の後壁部の一対の半後壁部の隙間に位置する他方の膨大端部とを具備しており、カムスライド支持手段は、一方の膨大端部に対面していると共に前壁部にボルトにより取外し自在に取付けられた前部落下防止板と、他方の膨大端部に対面していると共に一対の半後壁部を橋絡して後壁部にボルトにより取外し自在に取付けられた後部落下防止板とを具備していてもよい。
【００１２】
吊りカムタイプのカム装置では、前部落下防止板及び後部落下防止板を具備しているために、仮に、後方のカムスライド支持板がカムスライド支持基台から外れても、カムスライドのカムスライド支持基台からの意図しない落下を防ぐことができて、極めてフェールセーフであり、しかも、前部落下防止板及び後部落下防止板がボルトにより取付けられているために、ボルトを緩めてそれを取り外すことにより、前部落下防止板及び後部落下防止板を簡単に取り外すことができる。
【００１３】
ロッドは、ロッド本体と、一端部でロッド本体の一端部に螺着されたロッド副体とを具備しているとよく、斯かるロッドであると、ロッド本体とロッド副体とを互いに容易に分離できるために、コイルばねを容易にロッドに対して除去、装着できる。
【００１４】
コイルばねは、一端部で一方の膨大端部に、他端部でロッド支持部材又はロッド支持部材との間に配された調整板に当接しているとよく、斯かる場合には、適宜な厚みの調整板を用いることによりコイルばねの弾性力、延いては復帰力を最適に調整できる。
【発明の効果】
【００１５】
本発明によれば、煩雑な作業を行わなくても、カムスライドのカムスライド支持基台に対する取り外し及び取り付けを簡単に行い得、而して、カムスライド及び復帰機構等の保守、点検、交換作業を迅速に行い得るカム装置を提供することができる。
【００１６】
次に本発明及びその実施の形態を、図に示す例を参照して更に詳細に説明する。なお、本発明はこの例に何等限定されないのである。
【発明を実施するための最良の形態】
【００１７】
図１から図５において、本例の吊りカムタイプのカム装置１は、カムドライバ２と、カムドライバ２に接触して移動されるカムスライド３と、カムスライド３をＡ方向に移動自在に支持するカムスライド支持手段４と、カムスライド３を当該カムスライド３のＡ方向における後方の初期位置（図1に示す位置）に復帰させる復帰機構５とを備えている。
【００１８】
カムドライバ２は、カムドライバ支持基台６にボルト等により固定された基台本体７と、基台本体７の傾斜上面８に一体的に形成されていると共にＶ字状の滑り面９を有した突起部１０とを具備している。
【００１９】
カムスライド３は、直方体状のカムスライド基部１１と、カムスライド基部１１から伸びた工具取付部１２とを有している。
【００２０】
カムスライド基部１１は、工具取付部１２が一体的に形成されていると共に前面１３から後面１４まで伸びた貫通孔１５を有する基部本体１６と、基部本体１６の両側面１７及び１８に埋め込みボルト１９（図７参照）により取付けられている滑り側板２０及び２１と、基部本体１６の底面２２に埋め込みボルト２３により取付けられている滑り底板２４とを具備している。
【００２１】
工具取付部１２は、基部本体１６に一体的に形成されていると共に刃工具等の工具がボルト等を介して取り付けられる前面２５を有した取付部本体２６と、取付部本体２６の傾斜下面２７に一体的に形成されていると共に滑り面９と相補的な形状の逆Ｖ字状の滑り面２８を有した二股突起部２９とを具備している。
【００２２】
二股突起部２９は、カムスライド３の下降において、その滑り面２８で突起部１０の滑り面９に接触してＡ方向に摺動し、これによりカムスライド３は、カムドライバ２の突起部１０の滑り面９に案内されてＡ方向に移動されるようになっている。
【００２３】
カムスライド支持手段４は、Ａ方向における前方に配された前壁部３１、前壁部３１に対向してＡ方向における後方に配されていると共に隙間３２をもって互いに対峙された一対の半後壁部３３及び３４を具備した後壁部３５、Ａ方向に伸びていると共に前方では前壁部３１に後方では後壁部３５に夫々連接された一対の側壁部３６及び３７並びにこれら前壁部３１、後壁部３５並びに一対の側壁部３６及び３７に夫々連接された底壁部３８を一体的に有していると共にこれら前壁部３１、後壁部３５、一対の側壁部３６及び３７並びに底壁部３８によりカムスライド基部１１をＡ方向において移動自在に収容する収容凹所３９を形成するカムスライド支持基台４０と、カムスライド支持基台４０の一対の側壁部３６及び３７の夫々にＡ方向において一列に並んで取付けられている一対のカムスライド支持板４１及び４２並びに４３及び４４と、前壁部３１の下面にボルト４５により取外し自在に取付けられた前部落下防止板４６と、一対の半後壁部３３及び３４を橋絡して後壁部３５の下面にボルト４７により取外し自在に取付けられた後部落下防止板４８とを具備している。
【００２４】
カムスライド支持基台４０は、油圧ラム等に取り付けられる基盤５１にボルト等により固着されており、油圧ラムの作動によりカムドライバ２に向かって下降され、これによりカムスライド支持手段４を介してカムスライド３もまた、カムドライバ２に向かって下降されて、二股突起部２９の滑り面２８の突起部１０の滑り面９への接触後の滑り面２８の滑り面９でのＡ方向の摺動で当該滑り面９に案内されてＡ方向に移動されるようになっている。
【００２５】
滑り側板２０は、対応の側壁部３６の内壁面６１にＡ方向に対して摺動自在に接触した滑り面６２を有しており、滑り側板２１は、対応の側壁部３７の内壁面６３にＡ方向に対して摺動自在に接触した滑り面６４を有しており、滑り底板２４は、底壁部３８の内壁面６５にＡ方向に対して摺動自在に接触した滑り面６６を有している。
【００２６】
一対のカムスライド支持板４１及び４２の夫々は、Ａ方向に対して直交するＢ方向におけるカムスライド３の両側面において当該直交するＢ方向に張り出した滑り被支持面としての滑り側板２０の表面７１に対面すると共に当該表面７１にＡ方向に摺動自在に接触して直方体状のカムスライド基部１１を、延いてはカムスライド３を吊り下げ支持する支持面７２を有しており、一対のカムスライド支持板４３及び４４の夫々もまた、Ａ方向に対して直交するＢ方向におけるカムスライド３の両側面において当該直交する方向に張り出した滑り被支持面としての滑り側板２１の表面７３に対面すると共に当該表面７３にＡ方向に摺動自在に接触して直方体状のカムスライド基部１１を、延いてはカムスライド３を、一対のカムスライド支持板４１及び４２の夫々と協働して、吊り下げ支持する支持面７４を有している。
【００２７】
このように、直方体状のカムスライド基部１１は、Ｂ方向における両側面において当該Ｂ方向に張り出していると共に滑り底板２４の滑り面６６に平行に伸びている滑り被支持面としての表面７１及び７３を有しており、一対のカムスライド支持板４１及び４２並びに４３及び４４は、カムスライド基部１１の滑り被支持面としての表面７１及び７３のうちの対応の表面に対面する支持面７２及び７４を有している。
【００２８】
一対のカムスライド支持板４１及び４２並びに一対のカムスライド支持板４３及び４４においてＡ方向における前方のカムスライド支持板４１及び４３の夫々は、収容凹所３９のＡ方向における長さから収容凹所３９に収容されたカムスライド基部１１のＡ方向の長さを差し引いた長さよりも短いＡ方向の長さを有しており、一対のカムスライド支持板４１及び４２並びに一対のカムスライド支持板４３及び４４においてＡ方向における後方のカムスライド支持板４２及び４４の夫々は、側壁部３６及び３７において対応の側壁部に埋め込みボルト７６及び７７により取外し自在に取付けられており、本例では前方のカムスライド支持板４１及び４３の夫々もまた、側壁部３６及び３７において対応の側壁部にボルト７８及び７９により取外し自在に取付けられている。
【００２９】
復帰機構５は、貫通孔１５を通っていると共に全体的に貫通孔１５の径よりも小さい径を有したロッド８１と、ロッド８１をＡ方向に関して摺動自在となるように支持すると共に貫通孔１５のＡ方向における後方の開口端においてカムスライド３の基部本体１６にボルト８２により着脱自在に取り付けられたロッド支持部材８３と、カムスライド３をＡ方向における後方である後壁部３５に向かって弾性的に付勢して、カムスライド３を初期位置（図１に示す位置）に復帰させるべく、ロッド８１を取り巻いて配されていると共に貫通孔１５の径よりも小さい径を有したコイルばね８４と、コイルばね８４及びロッド支持部材８３間に配されていると共に貫通孔１５の径よりも小さい径を有してコイルばね８４のばね力を厚みでもって調整する環状の調整板８５とを具備している。
【００３０】
ロッド８１は、ロッド本体８６と、ロッド本体８６の一端部に一体的に形成されていると共に隙間３２に位置する膨大端部８７と、ロッド本体８６の他端部に一端部で螺着されていると共にロッド本体８６の径よりも大径のロッド副体８８と、ロッド副体８８に一体的に設けられていると共に前壁部３１に接触する膨大端部８９とを具備している。
【００３１】
コイルばね８４は、一端部では膨大端部８９に、他端部ではロッド本体８６に装着された調整板８５に夫々当接しており、膨大端部８９を設けない際には、コイルばね８４の一端部を前壁部３１に接触させても、また、調整板８５を設けない際には、コイルばね８４の他端部をロッド支持部材８３に接触させてもよい。
【００３２】
復帰機構５は、基盤５１に連結された油圧ラム（図示せず）の作動による基盤５１及びカムスライド支持基台４０の下降で、図６に示すように、カムドライバ２によりカムスライド３がＡ方向に移動された後に、油圧ラムの逆作動により基盤５１と共にカムスライド支持基台４０が上昇される際に、カムスライド３をコイルばね８４の弾性力によりＡ方向と逆の方向、即ちＡ方向における後方に移動させて、図１に示すように基部本体１６の後面１４が後壁部３５に当接する初期位置にカムスライド３を復帰させるようになっている。
【００３３】
前部落下防止板４６は、膨大端部８９に対面しており、後部落下防止板４８は、膨大端部８７に対面しており、前部落下防止板４６及び後部落下防止板４８は、ボルト７６から７９が緩んで一対のカムスライド支持板４１及び４２並びに一対のカムスライド支持板４３及び４４が側壁部３６及び３７から脱落したとしても、膨大端部８９及び８７を下から受け止め、カムスライド支持基台４０からのカムスライド３の落下を防止するようになっており、前部落下防止板４６及び後部落下防止板４８は、ボルト４５及び４７を緩めて除去することにより、前壁部３１並びに後壁部３５の夫々から取り外すことができるようになっている。
【００３４】
カムスライド３がカムスライド支持手段４に吊下されるようになっている以上の吊りカムタイプのカム装置１では、図１に示す初期位置にカムスライド３が初期位置に復帰された状態で油圧ラムが作動されて、基盤５１と共にカムスライド支持基台４０が下降されると、カムスライド３は、その滑り面２８のカムドライバ２の滑り面９への接触により、図６に示すようにＡ方向に移動され、而して、取付部本体２６の前面２５に取り付けられた工具で、例えば折り曲げの加工を施すようになっている。
【００３５】
折り曲げの加工後、カム装置１では、油圧ラムが逆作動されて、基盤５１と共にカムスライド支持基台４０が上昇されると、カムスライド３は、その滑り面２８のカムドライバ２の滑り面９への接触解除と共に、復帰機構５のコイルばね８４の弾性力により図１に示すようにＡ方向において後方に移動されて、初期位置に復帰されるようになっている。
【００３６】
ところで、カム装置１では、カムスライド支持板４１及び４２並びに４３及び４４においてＡ方向における前方のカムスライド支持板４１及び４３は、収容凹所３９のＡ方向における長さからカムスライド基部１１の被支持面としての表面７１及び７３のＡ方向の長さを差し引いた長さよりも短いＡ方向の長さを有している一方、カムスライド支持板４１及び４２並びに４３及び４４においてＡ方向における後方のカムスライド支持板４２及び４４は、側壁部３６及び３７にボルト７６及び７７により取外し自在に取付けられているために、仮に、カムスライド３自体及び／又は隣接のカムスライド等が邪魔となってボルト７８及び７９を緩めることができないで、Ａ方向において前方のカムスライド支持板４１及び４３を側壁部３６及び３７から取外すことができない場合でも、図７に示すように、Ａ方向において後方のカムスライド支持板４２及び４４の側壁部３６及び３７からの取外しにより収容凹所３９の開口を介してカムスライド基部１１をＡ方向に対して直交するＣ方向において当該収容凹所３９に対して挿抜できる結果、煩雑な作業を行わなくても、カムスライド３のカムスライド支持基台１１に対する取り外し及び取り付けを簡単に行い得、而して、カムスライド３及び復帰機構５等の保守、点検、交換作業を迅速に行い得る。
【００３７】
本例のように、前部落下防止板４６及び後部落下防止板４８を具備する場合には、収容凹所３９に対するカムスライド基部１１の挿抜に際して、ボルト４５及び４７を緩めて前部落下防止板４６及び後部落下防止板４８をも前壁部３１並びに後壁部３５の夫々から取り外してもよいが、前部落下防止板４６及び後部落下防止板４８、特にカムスライド３自体及び／又は隣接のカムスライド等が邪魔となって前部落下防止板４６をも取り外すことができない場合には、ボルト８２を緩めてロッド支持部材８３を基部本体１６から取り外して、復帰機構５全体をＡ方向と逆の方向に移動させて復帰機構５全体を収容凹所３９及び貫通孔１５から引き出し、復帰機構５全体をカムスライド基部１１から取り外すようにしてもよい。
【００３８】
また、カム装置１では、ロッド８１がロッド本体８６とロッド本体８６に螺着されたロッド副体８８とを具備しているために、ロッド本体８６とロッド副体８８とを互いに容易に分離できるために、コイルばね８４を容易にロッド８１に対して除去、装着でき、更にロッド８１が膨大端部８７及び８９を具備しているために、ロッド支持部材８３からのロッド８１の意図しない抜け出しを確実に防止できる。
【図面の簡単な説明】
【００３９】
【図１】本発明の好ましい実施の形態の一例の断面説明図である。
【図２】図１に示す例のＩＩ−ＩＩ線矢視断面図である。
【図３】図１に示す例の前方から説明図である。
【図４】図１に示す例の後方から説明図である。
【図５】図１に示す例の滑り面の断面説明図である。
【図６】図１に示す例の動作説明図である。
【図７】図１に示す例の動作説明図である。
【符号の説明】
【００４０】
１  カム装置
２  カムドライバ
３  カムスライド
４  カムスライド支持手段
５  復帰機構
６  カムドライバ支持基台
７  基台本体
８  傾斜上面
９、２８  滑り面
１０  突起部
１１  カムスライド基部
１２  工具取付部
１３  前面
１４  後面
１５  貫通孔
１６  基部本体
１７、１８  側面
１９、２３  埋め込みボルト
２０、２１  滑り側板
２２  底面
２４  滑り底板
２５  前面
２６  取付部本体
２７  傾斜下面
２９  二股突起部
３１  前壁部
３２  隙間
３３、３４  半後壁部
３５  後壁部
３６、３７  側壁部
３８  底壁部
３９  収容凹所
４０  カムスライド支持基台
４１、４２、４３、４４  カムスライド支持板
【図１】
2008290118.tif 000003
【図２】
2008290118.tif 000004
【図３】
2008290118.tif 000005
【図４】
2008290118.tif 000006
【図５】
2008290118.tif 000007
【図６】
2008290118.tif 000008
【図７】
2008290118.tif 000009